(57)【要約】【課題】本開示は、従来よりも機能性および耐久性を向上させた多目的容器を提供する。【解決手段】本開示の一態様は、底壁１０と、その底壁１０を囲む複数の側壁２０と、その複数の側壁２０の上端に画定された開口部３０とを備える多目的容器１００である。複数の側壁２０の少なくとも一つは、底壁１０に垂直な高さ方向Ｄｈの一部が取り外し可能な着脱壁４１によって構成された部分開閉壁４０である。着脱壁４１は、部分開閉壁４０の一部を構成する本体部４２と、その本体部４２の両端に設けられて部分開閉壁４０に隣接する側壁２０の一部を構成する側端部４３とを有している。着脱壁４１の側端部４３と部分開閉壁４０に隣接する側壁２０とは、その側壁２０の幅方向Ｄｗに嵌合する嵌合部２１，４４を有する。【選択図】図１
0003221598.tif 000002
【実用新案登録請求の範囲】
【請求項１】
底壁と、該底壁を囲む複数の側壁と、該複数の側壁の上端に画定された開口部とを備え、
前記複数の側壁の少なくとも一つは、前記底壁に垂直な高さ方向の一部が取り外し可能な着脱壁によって構成された部分開閉壁であり、
前記着脱壁は、前記部分開閉壁の一部を構成する本体部と、該本体部の両端に設けられて前記部分開閉壁に隣接する前記側壁の一部を構成する側端部とを有し、
前記着脱壁の前記側端部と前記部分開閉壁に隣接する前記側壁とは、該側壁の幅方向に嵌合する嵌合部を有することを特徴とする多目的容器。
【請求項２】
前記着脱壁は、前記部分開閉壁の上部に配置されて前記開口部を画定することを特徴とする請求項１に記載の多目的容器。
【請求項３】
前記嵌合部は、前記側壁の前記幅方向に突出する凸部と、該凸部を嵌合させる凹部とを含むことを特徴とする請求項１に記載の多目的容器。
【請求項４】
前記部分開閉壁は、側面開口部を有することを特徴とする請求項１に記載の多目的容器。
【請求項５】
前記嵌合部は、前記高さ方向に対して傾斜して設けられ、
前記着脱壁の前記側端部を含む前記側壁の前記幅方向における前記側端部の寸法は、前記開口部に近付くほど増加していることを特徴とする請求項２に記載の多目的容器。
【請求項６】
前記着脱壁の下端面と、該下端面に対向する前記部分開閉壁および前記側壁の段差面とは、互いに嵌合する凹凸を有しない平坦な面であることを特徴とする請求項２に記載の多目的容器。
【請求項７】
前記側壁の上端部に嵌合して前記開口部を閉鎖する蓋を有し、
前記蓋の下端部と前記着脱壁の上端部とは、前記多目的容器の高さ方向に嵌合する嵌合部を有することを特徴とする請求項１に記載の多目的容器。
【請求項８】
前記底壁、前記側壁および前記蓋の素材は、発泡樹脂であることを特徴とする請求項７に記載の多目的容器。
【考案の詳細な説明】
【技術分野】
【０００１】
本開示は、多様な目的で使用される多目的容器に関する。
【背景技術】
【０００２】
従来から発泡スチロールなどで形成された組立式発泡箱に関する発明が知られている（下記特許文献１を参照）。特許文献１に記載された組立式発泡箱は、発泡合成樹脂により成型され、箱型部と、矩形状の取付用側板と、を備える（同文献、請求項１等を参照）。箱型部は、多角形状の底板およびこの底板の周囲各辺のうちの一の辺を除いた各辺から一体に立設された側板を有する。取付用側板は、箱型部の一の側面に取り外し可能に係止される。
【０００３】
上記取付用側板には、その側面に沿って凸条部が形成されている。上記箱型部の底板には、その上面の上記一の辺に沿って、取付用側板の下側面の凸条部が差し込まれる凹条溝部が形成されている。上記箱型部の側板には、取付用側板が係止される辺において、取付用側板の左右側面の凸条部がスライド嵌合されるスライド溝部が形成される。この従来の組立式発泡箱によれば、不使用時においてはコンパクト化でき、かつ極めて容易に組み立てや分解ができるようになる（同文献、第００１３段落、第００１７段落および図２等を参照）。
【０００４】
また、多目的発泡合成樹脂容器に関する発明が知られている（下記特許文献２を参照）。特許文献２に記載された多目的発泡合成樹脂容器は、発泡合成樹脂製の蓋体と容器本体とからなる断熱容器において、それ自体独立した機能を有する部品を着脱自在に具備せしめたことを特徴としている（同文献、請求項１等を参照）。着脱自在の部品としては、開閉窓、覗き窓、温度計ケース、湿度計ケース、吸着剤ケース、吸湿剤ケース、蓄冷剤ケース、蓄熱剤ケース、防腐剤ケース、酸化防止剤ケース、乾燥剤ケース等が例示されている。
【先行技術文献】
【特許文献】
【０００５】
【特許文献１】特開２０１５−１６３５２６号公報
【特許文献２】特開昭６３−０９６０６８号公報
【考案の概要】
【考案が解決しようとする課題】
【０００６】
物流において、容器は多様な目的で使用されている。たとえば、配送センターでは、配送用の容器の他、配送先ごとに仕分けた商品を入れる袋を立体的に支持する仕分け用の容器が用いられている。また、配送センターで商品が収容され、店舗などの出荷先へ配送された配送用の容器は、店頭で商品陳列用の容器として使用される場合がある。しかしながら、上記従来の組立式発泡箱や多目的発泡合成樹脂容器は、このような用途が想定されていないため、機能性や耐久性の面で課題がある。
【０００７】
本開示は、従来よりも機能性および耐久性を向上させた多目的容器を提供する。
【課題を解決するための手段】
【０００８】
本開示の一態様は、底壁と、該底壁を囲む複数の側壁と、該複数の側壁の上端に画定された開口部とを備え、前記複数の側壁の少なくとも一つは、前記底壁に垂直な高さ方向の一部が取り外し可能な着脱壁によって構成された部分開閉壁であり、前記着脱壁は、前記部分開閉壁の一部を構成する本体部と、該本体部の両端に設けられて前記部分開閉壁に隣接する前記側壁の一部を構成する側端部とを有し、前記着脱壁の前記側端部と前記部分開閉壁に隣接する前記側壁とは、該側壁の幅方向に嵌合する嵌合部を有することを特徴とする多目的容器である。
【０００９】
この構成により、たとえば多目的容器を仕分け用の容器として使用する場合、部分開閉壁の着脱壁を取り付けた状態で、物品を仕分けして多目的容器に収容することができる。その後、着脱壁の側端部の嵌合部と側壁の嵌合部との嵌合を解除することで、着脱壁を取り外し、多目的容器の側壁である部分開閉壁の一部を開口させることができる。これにより、仕分け後の内容物の取り出しを容易にして、多目的容器の機能性を向上させることができる。
【００１０】
また、多目的容器に部分開閉壁の着脱壁を取り付けた状態では、着脱壁の側端部に設けられた嵌合部と、部分開閉壁に隣接する側壁に設けられた嵌合部とが、その側壁の幅方向に嵌合している。そのため、多目的容器から内容物を取り出すときに、着脱壁の本体部が内容物から多目的容器の外側へ向けて力を受けると、着脱壁の嵌合部と側壁の嵌合部との嵌合が解除され、多目的容器から着脱壁が外れる。これにより、多目的容器から内容物を取り出すときに、側壁である部分開閉壁が内容物から力を受けて損傷するのを防止することができ、多目的容器の耐久性を向上させることができる。
【００１１】
また、たとえば多目的容器を物品の輸送用容器として用いる場合、多目的容器に着脱壁を取り付けることで、着脱壁によって部分開閉壁の開口を塞ぐことができる。この状態で、物品が収容された多目的容器を店舗などの出荷先へ配送することで、物品が部分開閉壁の開口から露出したり多目的容器の外へ出たりすることを防止できる。これにより、多目的容器を輸送用容器として使用することができる。
【００１２】
また、着脱壁は、部分開閉壁の一部を構成する本体部と、その本体部の両端に設けられて部分開閉壁に隣接する側壁の一部を構成する側端部とを有しているため、側端部を有しない場合と比較して着脱壁の機械的強度を向上させることができる。そのため、たとえば、着脱壁を取り付けた複数の多目的容器を高さ方向に積み重ねた場合でも、上の多目的容器やその内部の物品の重さによる下の多目的容器の着脱壁の変形が抑制され、多目的容器の耐久性が向上する。
【００１３】
また、物品が収容されて店舗などの出荷先へ配送された多目的容器を、たとえば店頭で商品陳列用の容器として使用する場合、着脱壁の嵌合部と側壁の嵌合部との嵌合を解除することで、着脱壁を取り外すことができる。これにより、多目的容器に収容された物品を部分開閉壁の開口に露出させ、物品の視認性を向上させることができる。したがって、商品陳列用の容器としての多目的容器の機能性を向上させることができる。
【００１４】
上記の多目的容器において、前記着脱壁は、前記部分開閉壁の上部に配置されて前記開口部を画定してもよい。
【００１５】
この構成により、多目的容器から着脱壁を取り外すことで、多目的容器の側壁である部分開閉壁の上端部が開口し、他の側壁の上端に画定された多目的容器の開口部とともに、多目的容器により大きな開口を形成することができる。これにより、多目的容器の内容物の収容および取り出しの容易性ならびに内容物の視認性を、さらに向上させることができる。
【００１６】
上記の多目的容器において、前記嵌合部は、前記側壁の前記幅方向に突出する凸部と、該凸部を嵌合させる凹部とを含んでもよい。
【００１７】
この構成により、着脱壁の嵌合部と、部分開閉壁に隣接する側壁の嵌合部のうち、一方の嵌合部に凸部を設け、他方の嵌合部に凹部を設けることで、これらの嵌合部を不用意に外れない程度に強固に嵌合させることができる。また、一方の嵌合部の凸部は、他方の嵌合部の凹部に対し、部分開閉壁に隣接する側壁の幅方向に挿入されて嵌合するので、着脱壁をその本体部に交差する方向に取り付け、または取り外すことができる。したがって、多目的容器に対する着脱壁の取り付けと取り外しを容易にすることができる。
【００１８】
また、多目的容器から内容物を取り出すときに、着脱壁の本体部に内容物から多目的容器の外側へ向けて力が作用すると、着脱壁の本体部に交差する側壁の幅方向に突出して凹部に嵌合した凸部が、凹部から容易に外れる。なお、凹部が、多目的容器の高さ方向に延びて、多目的容器の開口部に隣接する上端が開放された凹溝である場合、着脱壁を多目的容器の高さ方向に取り付け、取り外すことも可能である。
【００１９】
上記の多目的容器において、前記部分開閉壁は、側面開口部を有してもよい。
【００２０】
この構成により、多目的容器に着脱壁を取り付けた状態で、部分開閉壁の側面開口部から多目的容器の内部を視認することができるだけでなく、側面開口部を介して多目的容器の内容物にアクセスすることができる。より具体的には、側面開口部は、多目的容器に着脱壁を取り付けた状態で、部分開閉壁に開口する切り欠きまたは貫通孔である。これにより、多目的容器に着脱壁を取り付けた状態で、部分開閉壁の側面開口部を介して、必要な情報が記録されたラベルを多目的容器の内容物に貼り付けることが可能になる。
【００２１】
上記の多目的容器において、前記嵌合部は、前記高さ方向に対して傾斜して設けられ、前記着脱壁の前記側端部を含む前記側壁の前記幅方向における前記側端部の寸法は、前記開口部に近づくほど増加していてもよい。
【００２２】
この構成により、着脱壁の側端部の嵌合部と側壁の嵌合部の長さを、より長くすることができる。これにより、着脱壁の側端部の嵌合部と側壁の嵌合部とをより強固に嵌合させることができ、多目的容器から着脱壁が不意に外れるのを防止することができる。また、多目的容器から着脱壁を取り外すことで、着脱壁の側端部によって構成された側壁の角部が取り除かれて、側壁の角部が大きく切り欠かれた状態になる。これにより、多目的容器に収容した物品をより広い範囲で露出させ、多目的容器の内部の物品の視認性を向上させることができる。
【００２３】
上記の多目的容器において、前記着脱壁の下端面と、該下端面に対向する前記部分開閉壁および前記側壁の段差面とは、互いに嵌合する凹凸を有しない平坦な面であってもよい。
【００２４】
この構成により、多目的容器への着脱壁の取り付け時、および、多目的容器からの着脱壁の取り外し時に、着脱壁の下端面と、それに対向する部分開閉壁および側壁の段差面とを摺接させて、着脱壁を案内することができる。すなわち、着脱壁は、部分開閉壁とその両側の側壁の着脱壁を除く部分に対し、多目的容器の高さ方向に嵌合していない。その一方で、着脱壁の側端部に設けられた嵌合部と、部分開閉壁の両側の側壁に設けられた嵌合部とが、その側壁の幅方向に嵌合している。これにより、着脱壁は、部分開閉壁の両側の側壁に対し、その側壁の幅方向であって着脱壁の本体部に交差する方向に沿って取り付けることができる。また、着脱壁は、部分開閉壁の両側の側壁から、その側壁の幅方向であって着脱壁の本体部に交差する方向に沿って取り外すことができる。
【００２５】
上記の多目的容器は、前記側壁の上端部に嵌合して前記開口部を閉鎖する蓋を有し、前記蓋の下端部と前記着脱壁の上端部とは、前記多目的容器の高さ方向に嵌合する嵌合部を有してもよい。
【００２６】
この構成により、多目的容器に着脱壁を取り付けた状態で、多目的容器の開口部を蓋によって閉鎖することで、底壁と側壁と蓋によって、多目的容器の内部に物品を収容する閉鎖された空間を画定することができる。したがって、たとえば多目的容器を物品の輸送用容器として用いる場合に、物品が多目的容器の開口部から外部に露出したり多目的容器の外へ出たりすることを防止できる。また、蓋の下端部と着脱壁の上端部とが、多目的容器の高さ方向に嵌合する嵌合部を有することで、部分開閉壁の両側の側壁と蓋によって着脱壁を支持し、多目的容器の輸送中に着脱壁が外れるのをより確実に防止することができる。
【００２７】
上記の多目的容器において、前記底壁、前記側壁および前記蓋の素材は、発泡樹脂であってもよい。
【００２８】
この構成により、多目的容器を断熱容器として用いることができる。また、多目的容器の成形を容易にすることができる。また、非発泡の合成樹脂や金属などの素材を用いる場合と比較して、多目的容器の重量を低減させ、材料コストを低減することができる。さらに、多目的容器を保冷容器として用いる場合には、多目的容器の予冷時に着脱壁を取り外して多目的容器の内部に冷気を効率よく取り込むことができる。
【考案の効果】
【００２９】
本開示の一態様によれば、従来よりも機能性および耐久性を向上させた多目的容器を提供することができる。
【図面の簡単な説明】
【００３０】
【図１】本開示に係る多目的容器の実施形態１を示す分解斜視図。
【図２】図１に示す多目的容器の部分開閉壁の一部を構成する着脱壁の斜視図。
【図３】図１に示す着脱壁を取り付けた多目的容器のIII−III線に沿う断面図。
【図４】図１の多目的容器の使用状態の一例を示す斜視図。
【図５】本開示に係る多目的容器の実施形態２を示す分解斜視図。
【図６】本開示に係る多目的容器の実施形態３を示す分解斜視図。
【考案を実施するための形態】
【００３１】
以下、図面を参照して本開示に係る多目的容器の実施形態を説明する。
【００３２】
（実施形態１）
図１は、本開示に係る多目的容器の実施形態１を示す分解斜視図である。図２は、図１に示す多目的容器１００の部分開閉壁４０の一部を構成する着脱壁４１の斜視図である。図３は、図１に示す着脱壁４１を取り付けた多目的容器１００のIII−III線に沿う断面図である。多目的容器１００は、たとえば、物流における物品の仕分けおよび配送、ならびに配送後の商品の陳列など、多様な目的で使用される容器である。
【００３３】
詳細については後述するが、本実施形態の多目的容器１００は、次の構成を特徴としている。多目的容器１００は、底壁１０と、その底壁１０を囲む複数の側壁２０と、その複数の側壁２０の上端に画定された開口部３０とを備えている。複数の側壁２０の少なくとも一つは、底壁１０に垂直な高さ方向Ｄｈの一部が、取り外し可能な着脱壁４１によって構成された部分開閉壁４０である。着脱壁４１は、部分開閉壁４０の一部を構成する本体部４２と、その本体部４２の両端に設けられて部分開閉壁４０に隣接する側壁２０の一部を構成する側端部４３とを有している。着脱壁４１の側端部４３と部分開閉壁４０に隣接する側壁２０とは、その側壁２０の幅方向Ｄｗに嵌合する嵌合部２１，４４を有している。
【００３４】
以下、本実施形態の多目的容器１００の各部の構成を詳細に説明する。多目的容器１００は、たとえば、直方体の箱形の形状を有している。なお、多目的容器１００の形状は、直方体の他、たとえば立方体など、内容物を収容可能な任意の形状に成形することができる。多目的容器１００は、たとえば、矩形板状の底壁１０と、その底壁１０の四方を囲む四つの矩形板状の側壁２０と、その側壁２０の上端に画定された矩形の開口部３０とを備えている。
【００３５】
底壁１０は、側壁２０の下端に設けられている。底壁１０の周縁部は、側壁２０の下端に連結されている。底壁１０の上面と下面は、たとえば、多目的容器１００を水平面上に配置したときに水平になるように、平坦に設けられている。図示を省略するが、底壁１０は、たとえば下面の周縁部の内側に、他の多目的容器１００の開口部３０に嵌合する凸部を有している。
【００３６】
側壁２０は、底壁１０の周縁部から多目的容器１００の高さ方向Ｄｈに延びて上端に矩形の開口部３０を画定している。また、側壁２０は、多目的容器１００の下端に設けられた底壁１０とともに、内容物を収容するためのスペースである収容部を画定している。複数の側壁２０は、たとえば、長方形の底壁１０の長辺に沿う一対の長手壁と、長方形の底壁１０の短辺に沿う一対の短手壁とを有している。
【００３７】
側壁２０は、たとえば、開口部３０を取り囲む上端面に凹溝２０ｃを有している。凹溝２０ｃは、たとえば、すべての側壁２０の上端面に開口部３０を取り囲むように連続して設けられている。すなわち、凹溝２０ｃは、開口部３０の周方向に沿う矩形環状に設けられている。凹溝２０ｃは、たとえば、多目的容器１００に蓋を取り付けて開口部３０を閉じる場合に、蓋に設けられた凸部を嵌合させる。
【００３８】
側壁２０は、多目的容器１００から着脱壁４１を取り外した状態で、部分開閉壁４０に隣接する端部に切り欠き部を有し、この切り欠き部に嵌合部２１と段差面２０ｓが設けられている。側壁２０の段差面２０ｓは、たとえば、側壁２０の上端面との間に多目的容器１００の高さ方向Ｄｈの段差を有し、着脱壁４１に嵌合する凹凸を有しない平坦な面である。
【００３９】
底壁１０および側壁２０の素材は、特に限定はされないが、たとえば、ポリスチレン系樹脂、ポリエチレン系樹脂、エチレン−スチレン共重合体、ポリプロピレン樹脂等の合成樹脂発泡体を用いることができる。なお、底壁１０および側壁２０の素材は、たとえば、非発泡合成樹脂や金属などであってもよい。
【００４０】
前述のように、底壁１０を囲む複数の側壁２０のうち、少なくとも一つは部分開閉壁４０である。図１に示す例において、部分開閉壁４０は、矩形の底壁１０の四辺に沿って設けられた四つの側壁２０のうちの一つである。より具体的には、部分開閉壁４０は、たとえば、長方形の底壁１０の短辺に設けられた二つの短側壁である側壁２０のうちの一つである。なお、部分開閉壁４０は、複数の側壁２０のうち、底壁１０の短辺に沿う二つの短側壁に設けられていてもよいし、底壁１０の長辺に沿う二つの長側壁の少なくとも一方に設けられていてもよい。
【００４１】
部分開閉壁４０は、底壁１０に垂直な多目的容器１００の高さ方向Ｄｈの一部が、取り外し可能な着脱壁４１によって構成されている。着脱壁４１は、たとえば、多目的容器１００の高さ方向Ｄｈにおいて、部分開閉壁４０の上部に配置され、多目的容器１００の開口部３０を画定する。なお、着脱壁４１は、たとえば、多目的容器１００の高さ方向Ｄｈにおいて、部分開閉壁４０の中間部や下端部に設けられていてもよい。また、多目的容器１００の強度を確保する観点から、多目的容器１００の高さ方向Ｄｈにおいて、着脱壁４１の高さは、側壁２０の高さの７０％以下であることが好ましい。
【００４２】
部分開閉壁４０の着脱壁４１に隣接する部分は、側壁２０の段差面２０ｓと共通の段差面２０ｓを有している。部分開閉壁４０の段差面２０ｓは、着脱壁４１の下端面４１ｂに対向し、側壁２０の上端面との間に多目的容器１００の高さ方向Ｄｈの段差を有し、着脱壁４１に嵌合する凹凸を有しない平坦な面である。また、部分開閉壁４０および側壁２０の段差面２０ｓに対向する着脱壁４１の下端面４１ｂは、段差面２０ｓに嵌合する凹凸を有しない平坦な面である。すなわち、着脱壁４１の下端面４１ｂと、その下端面４１ｂに対向する部分開閉壁４０とそれに隣接する側壁２０の段差面２０ｓとは、互いに嵌合する凹凸を有しない平坦な面である。
【００４３】
着脱壁４１は、部分開閉壁４０の一部を構成する本体部４２と、その本体部４２の両端に設けられて部分開閉壁４０に隣接する側壁２０の一部を構成する側端部４３とを有している。本体部４２は、たとえば、矩形の底壁１０の一辺に沿って、部分開閉壁４０に隣接する一対の側壁２０の一方から他方まで延びている。側端部４３は、たとえば、本体部４２の両端から、矩形の底壁１０の上記一辺に隣接する二辺に沿って延び、部分開閉壁４０に隣接する側壁２０の一部を構成している。本体部４２と側端部４３とは、たとえば、多目的容器１００の高さ方向Ｄｈに同一の高さを有する板状に設けられ、互いに直交している。
【００４４】
側端部４３は、部分開閉壁４０に隣接する側壁２０の嵌合部２１に嵌合する嵌合部４４を有している。この着脱壁４１の嵌合部４４には、たとえば、凸部４４ｃが設けられている。この凸部４４ｃは、たとえば、部分開閉壁４０に隣接する側壁２０の幅方向Ｄｗにおいて、本体部４２と反対側に位置する側端部４３の端面から、部分開閉壁４０に隣接する側壁２０の幅方向Ｄｗに突出している。また、凸部４４ｃは、たとえば、多目的容器１００の高さ方向Ｄｈにおいて、着脱壁４１の上端の凹溝２０ｃの底面から、着脱壁４１の下端面４１ｂまで延びている。
【００４５】
側壁２０の嵌合部２１は、たとえば着脱壁４１の嵌合部４４に設けられた凸部４４ｃを嵌合させる凹部２１ｃを有している。この凹部２１ｃは、たとえば、部分開閉壁４０に隣接する側壁２０の幅方向Ｄｗにおいて、着脱壁４１の側端部４３に対向する端面に凹状に設けられている。また、凹部２１ｃは、たとえば、多目的容器１００の高さ方向Ｄｈにおいて、側壁２０の上端面の凹溝２０ｃの底面から、側壁２０の段差面２０ｓまで延びている。
【００４６】
すなわち、部分開閉壁４０に隣接する側壁２０と着脱壁４１の嵌合部２１，４４は、側壁２０の幅方向Ｄｗに突出する凸部４４ｃと、その凸部４４ｃを嵌合させる凹部２１ｃとを含んでいる。なお、部分開閉壁４０に隣接する側壁２０の嵌合部２１が着脱壁４１の凸部４４ｃと同様の凸部を有してもよく、着脱壁４１の嵌合部４４が部分開閉壁４０に隣接する側壁２０の凹部２１ｃと同様の凹部を有してもよい。
【００４７】
部分開閉壁４０は、たとえば、側面開口部４６を有している。側面開口部４６の形状は、特に限定はされないが、たとえば矩形である。側面開口部４６は、着脱壁４１を取り外すことによって部分開閉壁４０に開口する部分開口４５よりも小さい開口である。側面開口部４６は、部分開閉壁４０を貫通して設けられている。
【００４８】
側面開口部４６は、たとえば、部分開閉壁４０の着脱壁４１に隣接する部分の端縁に設けられた切り欠きと、着脱壁４１の下端面４１ｂとによって画定されている。なお、側面開口部４６は、たとえば、着脱壁４１の下端に設けられた切り欠きと段差面２０ｓとによって画定されていてもよく、着脱壁４１に設けられた貫通孔であってもよく、部分開閉壁４０の着脱壁４１に隣接する部分に設けられた貫通孔であってもよい。
【００４９】
以下、本実施形態の多目的容器１００の作用を説明する。
【００５０】
図４は、図１の多目的容器１００の使用状態の一例を示す斜視図である。物流において、容器は多様な目的で使用されている。たとえば、配送センターでは、配送用の容器の他、配送先ごとに仕分けた商品を入れる袋を立体的に支持する仕分け用の容器が用いられている。また、配送センターで商品が収容され、店舗などの出荷先へ配送された配送用の容器は、店頭で商品陳列用の容器として使用される場合がある。しかしながら、上記従来の組立式発泡箱や多目的発泡合成樹脂容器は、このような用途が想定されていないため、機能性や耐久性の面で課題がある。
【００５１】
本実施形態の多目的容器１００は、前述のように、底壁１０と、その底壁１０を囲む複数の側壁２０と、その側壁２０の上端に画定された開口部３０とを備えている。複数の側壁２０の少なくとも一つは、底壁１０に垂直な高さ方向Ｄｈの一部が取り外し可能な着脱壁４１によって構成された部分開閉壁４０である。着脱壁４１は、部分開閉壁４０の一部を構成する本体部４２と、その本体部４２の両端に設けられて部分開閉壁４０に隣接する側壁２０の一部を構成する側端部４３とを有している。着脱壁４１の側端部４３と部分開閉壁４０に隣接する側壁２０とは、その側壁２０の幅方向Ｄｗに嵌合する嵌合部２１，４４を有している。
【００５２】
この構成により、たとえば多目的容器１００を仕分け用の容器として使用する場合、部分開閉壁４０の着脱壁４１を取り付け、底壁１０とその底壁１０を囲む側壁２０によって物品を収容する空間を画定することができる。さらに、仕分けた商品を入れるための袋Ｂを、多目的容器１００の内部の物品を収容する空間に口を拡げながら入れ、袋Ｂの口を多目的容器１００の開口部３０の外側に折り返して側壁２０の上端に被せる。
【００５３】
これにより、多目的容器１００によって袋Ｂを立体的に支持した状態で、物品を仕分けして多目的容器１００の内側の袋Ｂに収容することができる。その後、着脱壁４１の嵌合部４４と側壁２０の嵌合部２１との嵌合を解除することで、着脱壁４１を取り外し、多目的容器１００の複数の側壁２０のうちの一つである部分開閉壁４０の部分開口４５を開口させることができる。これにより、仕分け後の物品が収容された袋Ｂを、多目的容器１００から取り出すのを容易にすることができ、多目的容器１００の機能性を向上させることができる。
【００５４】
また、多目的容器１００に部分開閉壁４０の着脱壁４１を取り付けた状態では、着脱壁４１に設けられた嵌合部４４と、部分開閉壁４０に隣接する側壁２０に設けられた嵌合部２１とが、その側壁２０の幅方向Ｄｗに嵌合している。そのため、多目的容器１００から物品を収容した袋Ｂを取り出すときに、着脱壁４１の本体部４２が袋Ｂから多目的容器１００の外側へ向けて力を受けると、着脱壁４１の嵌合部４４と側壁２０の嵌合部２１との嵌合が解除され、多目的容器１００から着脱壁４１が外れる。これにより、多目的容器１００から袋Ｂを取り出すときに、複数の側壁２０のうちの一つである部分開閉壁４０が袋Ｂから力を受けて損傷するのを防止することができ、多目的容器１００の耐久性を向上させることができる。
【００５５】
また、たとえば多目的容器１００を物品の輸送用容器として用いる場合、多目的容器１００に着脱壁４１を取り付けることで、着脱壁４１によって部分開閉壁４０の部分開口４５を塞ぐことができる。この状態で、物品が収容された多目的容器１００を店舗などの出荷先へ配送することで、物品が部分開口４５から露出したり多目的容器１００の外へ出たりすることを防止できる。これにより、多目的容器１００を輸送用容器として使用することができる。
【００５６】
また、着脱壁４１は部分開閉壁４０の一部を構成する本体部４２と、その本体部４２の両端に設けられて部分開閉壁４０に隣接する側壁２０の一部を構成する側端部４３とを有している。これにより、着脱壁４１は、本体部４２と側端部４３との間に角部が形成され、側端部４３を有しない場合と比較して、機械的強度を向上させることができる。そのため、たとえば、着脱壁４１を取り付けた複数の多目的容器１００を高さ方向Ｄｈに積み重ねた場合でも、上の多目的容器１００やその内部の物品の重さによる下の多目的容器１００の着脱壁４１の変形が抑制され、多目的容器１００の耐久性が向上する。
【００５７】
また、物品が収容されて店舗などの出荷先へ配送された多目的容器１００を、たとえば店頭で商品陳列用の容器として使用する場合、着脱壁４１の嵌合部４４と側壁２０の嵌合部２１との嵌合を解除することで、着脱壁４１を取り外すことができる。これにより、多目的容器１００に収容された物品を着脱壁４１の部分開口４５に露出させ、物品の視認性を向上させることができる。したがって、商品陳列用の容器としての多目的容器１００の機能性を向上させることができる。
【００５８】
また、本実施形態の多目的容器１００において、着脱壁４１は、部分開閉壁４０の上部に配置されて多目的容器１００の開口部３０を画定する。
【００５９】
この構成により、多目的容器１００から着脱壁４１を取り外すことで、多目的容器１００の複数の側壁２０のうちの一つである部分開閉壁４０の上端部に部分開口４５が形成される。この部分開口４５は、他の側壁２０の上端に画定された多目的容器１００の開口部３０を拡張し、多目的容器１００により大きな開口を形成する。これにより、多目的容器１００の内容物の収容および取り出しの容易性ならびに内容物の視認性を、さらに向上させることができる。
【００６０】
また、本実施形態の多目的容器１００において、部分開閉壁４０に隣接する側壁２０および部分開閉壁４０の着脱壁４１の嵌合部２１，４４は、側壁２０の幅方向Ｄｗに突出する凸部４４ｃと、その凸部４４ｃを嵌合させる凹部２１ｃとを含んでいる。
【００６１】
この構成により、着脱壁４１の嵌合部４４と、部分開閉壁４０に隣接する側壁２０の嵌合部２１のうち、一方の嵌合部４４に凸部４４ｃを設け、他方の嵌合部２１に凹部２１ｃを設けることで、これらの嵌合部２１，４４を不用意に外れない程度に強固に嵌合させることができる。また、一方の嵌合部４４の凸部４４ｃは、他方の嵌合部２１の凹部２１ｃに対し、部分開閉壁４０に隣接する側壁２０の幅方向Ｄｗに挿入されて嵌合するので、着脱壁４１をその本体部４２に交差する方向に取り付け、または取り外すことができる。したがって、多目的容器１００に対する着脱壁４１の取り付けと取り外しを容易にすることができる。
【００６２】
また、多目的容器１００から内容物を取り出すときに、着脱壁４１の本体部４２に内容物から多目的容器１００の外側へ向けて力が作用すると、着脱壁４１の本体部４２に交差する側壁２０の幅方向Ｄｗに突出して凹部２１ｃに嵌合した凸部４４ｃが、凹部２１ｃから容易に外れる。また、凹部２１ｃが、多目的容器１００の高さ方向Ｄｈに延びて、多目的容器１００の開口部３０に隣接する上端が開放された凹溝であることで、着脱壁４１を多目的容器１００の高さ方向Ｄｈにも取り付け、および取り外すことができる。
【００６３】
また、本実施形態の多目的容器１００において、部分開閉壁４０は、側面開口部４６を有している。
【００６４】
この構成により、図４に示すように、多目的容器１００に着脱壁４１を取り付けた状態で、部分開閉壁４０の側面開口部４６から多目的容器１００の内部を視認することができる。さらに、側面開口部４６を介して多目的容器１００の内容物にアクセスすることができる。より具体的には、側面開口部４６は、多目的容器１００に着脱壁４１を取り付けた状態で、部分開閉壁４０に開口する切り欠きまたは貫通孔である。これにより、多目的容器１００に着脱壁４１を取り付けた状態で、部分開閉壁４０の側面開口部４６を介して、必要な情報が記録されたラベルを、たとえば仕分けされた物品が収容された袋Ｂなどの多目的容器１００の内容物に貼り付けることが可能になる。
【００６５】
また、本実施形態の多目的容器１００において、着脱壁４１の下端面４１ｂと、その下端面４１ｂに対向する部分開閉壁４０および隣接する側壁２０の段差面２０ｓとは、互いに嵌合する凹凸を有しない平坦な面である。
【００６６】
この構成により、多目的容器１００への着脱壁４１の取り付け時、および、多目的容器１００からの着脱壁４１の取り外し時に、着脱壁４１の下端面４１ｂと、それに対向する部分開閉壁４０および側壁２０の段差面２０ｓとを摺接させて、着脱壁４１を案内することができる。すなわち、着脱壁４１は、部分開閉壁４０とその両側の側壁２０の着脱壁４１を除く部分に対し、多目的容器１００の高さ方向Ｄｈに嵌合していない。
【００６７】
その一方で、着脱壁４１の本体部４２に設けられた嵌合部４４と、部分開閉壁４０の両側の側壁２０に設けられた嵌合部２１とが、その側壁２０の幅方向Ｄｗに嵌合している。これにより、着脱壁４１は、部分開閉壁４０の両側の側壁２０に対し、その側壁２０の幅方向Ｄｗであって着脱壁４１の本体部４２に交差する方向に沿って取り付けることができる。また、着脱壁４１は、部分開閉壁４０の両側の側壁２０から、その側壁２０の幅方向Ｄｗであって着脱壁４１の本体部４２に交差する方向に沿って取り外すことができる。
【００６８】
また、本実施形態の多目的容器１００において、底壁１０および側壁２０の素材は、たとえば発泡樹脂である。この構成により、多目的容器１００の成形を容易にすることができる。また、非発泡の合成樹脂や金属などの素材を用いる場合と比較して、多目的容器１００の重量を低減させ、材料コストを低減することができる。
【００６９】
以上説明したように、本実施形態によれば従来よりも機能性および耐久性を向上させた多目的容器１００を提供することができる。
【００７０】
（実施形態２）
次に、図２および図３を援用し、図５を参照して、本開示の多目的容器の実施形態２を説明する。図５は、本開示に係る多目的容器の実施形態２を示す分解斜視図である。本実施形態に係る多目的容器１００Ａは、蓋５０を備えている点と、部分開閉壁４０が側面開口部４６を有しない点で、前述の実施形態１に係る多目的容器１００と異なっている。本実施形態の多目的容器１００Ａのその他の点は、前述の実施形態１に係る多目的容器１００と同様であるので、同様の部分には同一の符号を付して説明を省略する。
【００７１】
本実施形態の多目的容器１００Ａは、側壁２０の上端部に嵌合して開口部３０を閉鎖する蓋５０を有している。より具体的には、図示を省略するが、蓋５０は、たとえば、下面の周縁部の内側に、多目的容器１００の開口部３０に嵌合する凸部を有している。蓋５０は、たとえば、矩形の板状に設けられている。また、図示を省略するが、蓋５０は、たとえば、開口部３０を画定する側壁２０の上端と反対側の上面の周縁部の内側に、他の多目的容器１００Ａの底壁１０に下面に設けられた凸部を嵌合させる凹部を有してもよい。
【００７２】
また、図示を省略するが、蓋５０は、たとえば、多目的容器１００の開口部３０に対向する下面の周縁部に、側壁２０の上端の凹溝２０ｃに嵌合する凸部が設けられている。この凸部は、蓋５０の下端部に設けられ、着脱壁４１の上端部の凹溝２０ｃに対し、多目的容器１００Ａの高さ方向Ｄｈに嵌合する嵌合部である。また、着脱壁４１の上端部の凹溝２０ｃは、蓋５０の凸部を嵌合させる着脱壁４１の嵌合部を構成する凹部である。なお、蓋５０の下端部の嵌合部が凹部であってもよく、着脱壁４１の上端部の嵌合部が凸部であってもよい。蓋５０は、多目的容器１００の開口部３０を閉鎖することで、底壁１０および側壁２０とともに、内容物を収容するためのスペースである収容部を多目的容器１００Ａの内部に画定する。
【００７３】
蓋５０の素材は、特に限定はされないが、たとえば、底壁１０および側壁２０と同様に、ポリスチレン系樹脂、ポリエチレン系樹脂、エチレン−スチレン共重合体、ポリプロピレン樹脂等の合成樹脂発泡体を用いることができる。また、蓋５０の素材は、たとえば非発泡合成樹脂や金属などであってもよい。
【００７４】
本実施形態の多目的容器１００Ａは、実施形態１に係る多目的容器１００と同様に、複数の側壁２０の少なくとも一つが、着脱壁４１を有する部分開閉壁４０であり、着脱壁４１の側端部４３と部分開閉壁４０に隣接する側壁２０とは、その側壁２０の幅方向Ｄｗに嵌合する嵌合部２１，４４を有している。したがって、本実施形態の多目的容器１００Ａによれば、実施形態１に係る多目的容器１００と同様の効果を奏することができる。
【００７５】
さらに、本実施形態の多目的容器１００Ａは、側壁２０の上端部に嵌合して開口部３０を閉鎖する蓋５０を有し、蓋５０の下端部と着脱壁４１の上端部とは、多目的容器１００Ａの高さ方向Ｄｈに嵌合する嵌合部を有している。
【００７６】
この構成により、多目的容器１００Ａに着脱壁４１を取り付けた状態で、多目的容器１００Ａの開口部３０を蓋５０によって閉鎖することで、底壁１０と側壁２０と蓋５０とによって、多目的容器１００Ａの内部に物品を収容する閉鎖された空間を画定することができる。したがって、たとえば多目的容器１００Ａを物品の輸送用容器として用いる場合に、物品が多目的容器１００Ａの開口部３０から外部に露出したり、多目的容器１００Ａの外へ出たりすることを防止できる。
【００７７】
また、蓋５０の下端部と着脱壁４１の上端部とが、側壁２０の幅方向Ｄｗに嵌合する嵌合部２１，４４と同様に、多目的容器１００Ａの高さ方向Ｄｈに嵌合する嵌合部を有している。これにより、部分開閉壁４０の両側の側壁２０と蓋５０によって着脱壁４１を支持することができ、多目的容器１００Ａの輸送中に着脱壁４１が外れるのをより確実に防止することができる。
【００７８】
本実施形態の多目的容器１００Ａにおいて、底壁１０、側壁２０および蓋５０の素材は、たとえば発泡樹脂である。
【００７９】
この構成により、多目的容器１００Ａを断熱容器として用いることができる。また、多目的容器１００Ａの成形を容易にすることができる。また、非発泡の合成樹脂や金属などの素材を用いる場合と比較して、多目的容器１００Ａの重量を低減させ、材料コストを低減することができる。さらに、多目的容器１００Ａを保冷容器として用いる場合には、多目的容器１００Ａの予冷時に着脱壁４１を取り外して、多目的容器１００Ａの内部に冷気を効率よく取り込むことができる。
【００８０】
（実施形態３）
次に、図２および図３を援用し、図６を参照して、本開示の多目的容器の実施形態３を説明する。図６は、本開示に係る多目的容器の実施形態３を示す分解斜視図である。本実施形態に係る多目的容器１００Ｂは、嵌合部２１，４４が多目的容器１００Ｂの高さ方向Ｄｈに対して傾斜している点で、前述の実施形態２に係る多目的容器１００Ａと異なっている。本実施形態の多目的容器１００Ｂのその他の点は、前述の実施形態２に係る多目的容器１００Ａと同様であるので、同様の部分には同一の符号を付して説明を省略する。
【００８１】
本実施形態の多目的容器１００Ｂは、実施形態１に係る多目的容器１００と同様に、複数の側壁２０の少なくとも一つが、着脱壁４１を有する部分開閉壁４０であり、着脱壁４１の側端部４３と部分開閉壁４０に隣接する側壁２０とは、その側壁２０の幅方向Ｄｗに嵌合する嵌合部２１，４４を有している。したがって、本実施形態の多目的容器１００Ｂによれば、実施形態１に係る多目的容器１００と同様の効果を奏することができる。
【００８２】
また、本実施形態の多目的容器１００Ｂにおいて、嵌合部２１，４４は、多目的容器１００Ｂの高さ方向Ｄｈに対して傾斜して設けられている。また、着脱壁４１の側端部４３を含む側壁２０の幅方向Ｄｗにおける着脱壁４１の側端部４３の寸法ｄは、多目的容器１００Ａの開口部３０に近付くほど増加している。
【００８３】
この構成により、着脱壁４１の側端部４３の嵌合部４４と側壁２０の嵌合部２１の長さｌを、より長くすることができる。これにより、着脱壁４１の側端部４３の嵌合部４４と側壁２０の嵌合部２１とをより強固に嵌合させることができ、多目的容器１００Ｂから着脱壁４１が不意に外れるのを防止することができる。また、多目的容器１００Ｂから着脱壁４１を取り外すことで、着脱壁４１の側端部４３によって構成された側壁２０の角部が取り除かれて、側壁２０の角部が大きく切り欠かれた状態になる。これにより、多目的容器１００Ｂに収容した物品をより広い範囲で露出させ、多目的容器１００Ｂの内部の物品の視認性を向上させることができる。
【００８４】
以上、図面を用いて本開示に係る多目的容器の実施形態を詳述してきたが、具体的な構成はこの実施形態に限定されるものではなく、本開示の要旨を逸脱しない範囲における設計変更等があっても、それらは本開示に含まれるものである。
【符号の説明】
【００８５】
１０      底壁
２０      側壁
２０ｓ    段差面
２１      嵌合部
２１ｃ    凹部
３０      開口部
４０      部分開閉壁
４１      着脱壁
４１ｂ    下端面
４２      本体部
４３      側端部
４４      嵌合部
４４ｃ    凸部
４６      側面開口部
５０      蓋
１００    多目的容器
１００Ａ  多目的容器
１００Ｂ  多目的容器
ｄ        寸法
Ｄｈ      高さ方向
Ｄｗ      幅方向
【図１】
0003221598.tif 000003
【図２】
0003221598.tif 000004
【図３】
0003221598.tif 000005
【図４】
0003221598.tif 000006
【図５】
0003221598.tif 000007
【図６】
0003221598.tif 000008